(57)【特許請求の範囲】
【請求項１】
風向を制御するためのフラップ（８６）を有し、前記フラップのスイングのオン・オフの設定及びスイング範囲の変更が可能な送風部（８０）と、
前記送風部の操作のための一つの操作ボタン（２２ｂａ）と
を備え、
前記送風部は、前記一つの操作ボタンの複数の押さえ方のうちの第１の押さえ方で前記フラップのスイングのオン・オフの設定を切り換え、第２の押さえ方で前記フラップのスイング範囲の設定を切り換え、前記フラップのスイング中に前記一つの操作ボタンで前記フラップのスイング範囲の変更と前記フラップのスイングのオフを指示可能に構成されている、空気調和機。
【請求項２】
風向を制御するためのフラップ（８６）を有し、前記フラップのスイングのオン・オフの設定及びスイング範囲の変更が可能な送風部（８０）と、
前記送風部の操作のための一つの操作ボタン（２２ｂａ）と
を備え、
前記送風部は、前記一つの操作ボタンの複数の押さえ方のうちの第１の押さえ方で前記フラップのスイングのオン・オフの設定を切り換え、第２の押さえ方で前記フラップのスイング範囲の設定を切り換え、前記フラップのスイングがオフした状態のときに、前記一つの操作ボタンで前記フラップのスイング範囲の変更と前記フラップのスイングのオンを指示可能に構成されている、空気調和機。
【請求項３】
前記送風部は、前記一つの操作ボタンが押されている状態が第１設定時間以内の場合の押さえ方を短押し、前記第１設定時間より長い時間前記一つの操作ボタンが押されている状態が続く場合の押さえ方を長押しとして、前記短押し及び前記長押しを前記第１の押さえ方及び前記第２の押さえ方の一方と他方に用いて前記フラップのスイングのオン・オフの設定及びスイング範囲の変更を行う、
請求項１又は請求項２に記載の空気調和機。
【請求項４】
前記送風部は、前記短押しを前記第１の押さえ方とし、前記長押しを前記第２の押さえ方として前記フラップのスイングのオン・オフの設定及びスイング範囲の変更を行う、
請求項３に記載の空気調和機。
【請求項５】
前記送風部は、前記フラップのスイングのオン状態からスイングのオフ状態になったタイミングで前記フラップを停止させる、
請求項４に記載の空気調和機。
【請求項６】
前記送風部は、前記一つの操作ボタンが押されている状態が前記第１設定時間よりも長い第２設定時間を超えてさらに前記一つの操作ボタンが押されている状態が続くときに、前記一つの操作ボタンが押されている時間に応じて前記長押しによる設定変更を複数回繰り返して前記フラップのスイング範囲の設定を複数回切り換える、
請求項３から５のいずれか一項に記載の空気調和機。
【請求項７】
前記送風部は、前記一つの操作ボタンで切換可能なスイング範囲の設定がｎ通りあるときには（ただし、ｎは２以上の整数）、前記長押しによる切換回数がｎ回まではスイング範囲の設定を順に切り換え、（ｎ＋１）回になったときには最初に戻って、その後さらにスイング範囲の設定を順に切り換える、
請求項６に記載の空気調和機。
【請求項８】
前記フラップのオン・オフの設定及びスイング範囲の切り換えに応じて、スイングのオン・オフの設定状態及びスイング範囲の設定状態の表示内容の変更を行う表示部（２２ａ）をさらに備える、
請求項１から７のいずれか一項に記載の空気調和機。
【請求項９】
風向を制御するためのフラップ（８６）を有し、前記フラップのスイングのオン・オフの設定及びスイング範囲の変更が可能な送風部（８０）と、
前記送風部の操作のための一つの操作ボタン（２２ｂａ）と
を備え、
前記送風部は、前記一つの操作ボタンの複数の押さえ方のうちの第１の押さえ方で前記フラップのスイングのオン・オフの設定を切り換え、第２の押さえ方で前記フラップのスイング範囲の設定を切り換え、前記一つの操作ボタンが押されている状態が第１設定時間以内の場合の押さえ方を短押し、前記第１設定時間より長い時間前記一つの操作ボタンが押されている状態が続く場合の押さえ方を長押しとして、前記短押し及び前記長押しを前記第１の押さえ方及び前記第２の押さえ方の一方と他方に用いて前記フラップのスイングのオン・オフの設定及びスイング範囲の変更を行う、空気調和機。
【発明の詳細な説明】
【技術分野】
【０００１】
本発明は、空気調和機、特に、フラップがスイングする空気調和機に関する。
【背景技術】
【０００２】
従来の空気調和機には、フラップによって風向を変更する機能、特にフラップをスイングさせる機能を持つものがある。そして、フラップをスイングさせる機能を持つ空気調和機の中には、例えば前方、後方、広角などの複数の設定状態の中からフラップのスイング範囲を選択できるものがある。従来、このようなスイング範囲の設定には、スイングを行わせるか否かを設定するためのスイングのオン・オフを切り換える操作ボタンとは別に、スイング範囲を設定するための操作ボタンが必要であった。このようなスイング範囲の設定のための専用の操作ボタンを省きたいときには、他の操作ボタンと兼用することが考えられる。例えば特許文献１（特開平８−１００９４２号公報）には、風向制御装置を備える空気調和機において、他の操作に用いられるリモートコントローラの複数の操作ボタンを３つの吹出しモード（風向モード）の切り換えに兼用する技術が開示されている。具体的には、通常状態から点検試運転ボタンを数秒間押し続けて現地設定状態に切換え、この状態から温度設定ボタンの操作及びタイマ時間設定ボタンの操作により３つの吹出しモードのうちの１つを選択し、さらに予約ボタンを押してその吹出しモードを確定し、更に点検試運転ボタンを押して通常状態に復帰させる構成が記載されている。
【発明の概要】
【発明が解決しようとする課題】
【０００３】
しかし、特許文献１に記載されている技術をフラップのスイング範囲の設定の切り換えに用いる場合、操作ボタンを兼用するために、操作ボタン自身の設定の切換が必要になる。そのため、特許文献１に記載されている技術を用いてフラップのスイング範囲を設定しようとすると、操作ボタンの操作が複雑になって空気調和機の操作性が損なわれてしまい、スイング範囲の設定が面倒になる。
【０００４】
本発明の課題は、スイング範囲の設定が可能な空気調和機において、スイング範囲設定のための専用の操作ボタンを設けることなくスイング範囲の設定を可能とすると共に、スイング範囲の設定において空気調和機の良好な操作性を確保することである。
【課題を解決するための手段】
【０００５】
本発明の第１観点に係る空気調和機は、風向を制御するためのフラップを有し、フラップのスイングのオン・オフの設定及びスイング範囲の変更が可能な送風部と、送風部の操作のための一つの操作ボタンとを備え、送風部は、一つの操作ボタンの複数の押さえ方のうちの第１の押さえ方でフラップのスイングのオン・オフの設定を切り換え、第２の押さえ方でフラップのスイング範囲の設定を切り換え、フラップのスイング中に一つの操作ボタンでフラップのスイング範囲の変更とフラップのスイングのオフを指示可能に構成されている、ものである。
【０００６】
本発明の第２観点に係る空気調和機は、風向を制御するためのフラップを有し、フラップのスイングのオン・オフの設定及びスイング範囲の変更が可能な送風部と、送風部の操作のための一つの操作ボタンとを備え、送風部は、一つの操作ボタンの複数の押さえ方のうちの第１の押さえ方でフラップのスイングのオン・オフの設定を切り換え、第２の押さえ方でフラップのスイング範囲の設定を切り換え、フラップのスイングがオフした状態のときに、一つの操作ボタンでフラップのスイング範囲の変更とフラップのスイングのオンを指示可能に構成されている、ものである。
【０００７】
本発明の第９観点に係る空気調和機は、風向を制御するためのフラップを有し、前記フラップのスイングのオン・オフの設定及びスイング範囲の変更が可能な送風部と、前記送風部の操作のための一つの操作ボタンとを備え、前記送風部は、前記一つの操作ボタンの複数の押さえ方のうちの第１の押さえ方で前記フラップのスイングのオン・オフの設定を切り換え、第２の押さえ方で前記フラップのスイング範囲の設定を切り換え、前記一つの操作ボタンが押されている状態が第１設定時間以内の場合の押さえ方を短押し、前記第１設定時間より長い時間前記一つの操作ボタンが押されている状態が続く場合の押さえ方を長押しとして、前記短押し及び前記長押しを前記第１の押さえ方及び前記第２の押さえ方の一方と他方に用いて前記フラップのスイングのオン・オフの設定及びスイング範囲の変更を行う、ものである。
【０００８】
第１観点、第２観点又は第９観点の空気調和機においては、一つの操作ボタンでスイングのオン・オフの設定とスイング範囲の変更を行えるので、スイング範囲設定のための専用の操作ボタンを設けなくても済む。また、一つの操作ボタンの押さえ方を変えるだけでスイング範囲の設定を変更できるので操作が簡単である。
【０００９】
本発明の第３観点に係る空気調和機は、第１観点の空気調和機において、送風部は、一つの操作ボタンが押されている状態が第１設定時間以内の場合の押さえ方を短押し、第１設定時間より長い時間一つの操作ボタンが押されている状態が続く場合の押さえ方を長押しとして、短押し及び長押しを第１の押さえ方及び第２の押さえ方の一方と他方に用いてフラップのスイングのオン・オフの設定及びスイング範囲の変更を行う、ように構成されている。
【００１０】
第３観点の空気調和機においては、操作ボタンを押さえ続けている時間を変えるだけで、スイングのオンに続けてスイング範囲の設定の変更ができる。
【００１１】
本発明の第４観点に係る空気調和機は、第２観点の空気調和機において、送風部は、短押しを第１の押さえ方とし、長押しを第２の押さえ方としてフラップのスイングのオン・オフの設定及びスイング範囲の変更を行う、ように構成されている。
【００１２】
第４観点の空気調和機においては、短押しでスイングのオン・オフの設定が切り換えられるので、オン・オフの切り換え時間を短くできる。
【００１３】
本発明の第５観点に係る空気調和機は、第４観点の空気調和機において、送風部は、フラップのスイングのオン状態からスイングのオフ状態になったタイミングでフラップを停止させる、ように構成されている。
【００１４】
第５観点の空気調和機においては、スイング動作中のフラップが所望の停止位置に来たと判断して操作ボタンを短押ししてからフラップを停止するまでのタイムラグを小さくすることができる。
【００１５】
本発明の第６観点に係る空気調和機は、第３観点から第５観点のいずれかの空気調和機において、送風部は、一つの操作ボタンが押されている状態が第１設定時間よりも長い第２設定時間を超えてさらに一つの操作ボタンが押されている状態が続くときに、一つの操作ボタンが押されている時間に応じて長押しによる設定変更を複数回繰り返してフラップのスイング範囲の設定を複数回切り換える、ように構成されている。
【００１６】
第６観点の空気調和機においては、操作ボタンを押さえ続けているという簡単な操作だけでスイング範囲の設定を何度も切り換えられる。
【００１７】
本発明の第７観点に係る空気調和機は、第６観点の空気調和機において、送風部は、一つの操作ボタンで切換可能なスイング範囲の設定がｎ通りあるときには（ただし、ｎは２以上の整数）、長押しによる切換回数がｎ回まではスイング範囲の設定を順に切り換え、（ｎ＋１）回になったときには最初に戻って、その後さらにスイング範囲の設定を順に切り換える、ように構成されている。
【００１８】
第７観点の空気調和機においては、誤操作によって所望のスイング範囲の設定を過ごしてしまっても、操作ボタンを押さえ続けているだけで再度所望のスイング範囲の設定が可能になる。
【００１９】
本発明の第８観点に係る空気調和機は、第１観点から第７観点のいずれかの空気調和機において、フラップのオン・オフの設定及びスイング範囲の切り換えに応じて、スイングのオン・オフの設定状態及びスイング範囲の設定状態の表示内容の変更を行う表示部をさらに備える、ものである。
【００２０】
第８観点の空気調和機においては、表示部の表示を使ってオン・オフの設定状態とスイング範囲の設定状態を視覚的に確認しながら操作ボタンの操作を行うことができる。
【発明の効果】
【００２１】
本発明の第１観点、第２観点又は第９観点に係る空気調和機では、スイング範囲設定のための専用の操作ボタンを設けることなく、スイング範囲の設定において空気調和機の良好な操作性を確保することができる。
【００２２】
本発明の第３観点に係る空気調和機では、スイングのオン・オフとスイング範囲の切り換えが容易になる。
【００２３】
本発明の第４観点に係る空気調和機では、オン・オフの設定切り換えのための待ち時間が短くなって使い勝手が良くなる。
【００２４】
本発明の第５観点に係る空気調和機では、フラップを所望の停止位置で停止させ易くなる。
【００２５】
本発明の第６観点に係る空気調和機では、操作ボタンを押さえ続けているだけで何度もスイング範囲が切り換えられ、スイング範囲の切換が容易になる。
【００２６】
本発明の第７観点に係る空気調和機では、操作ボタンを押さえ続けているだけで再度所望のスイング範囲の設定が可能になり、スイング範囲の切換が容易になる。
【００２７】
本発明の第８観点に係る空気調和機では、表示部への表示によって操作ボタンの誤操作を防ぐことができる。
【図面の簡単な説明】
【００２８】
【図１】本発明の一実施形態に係る空気清浄機の斜視図。
【図２】図１の空気清浄機の分解斜視図。
【図３】図１の空気清浄機のＩ−Ｉ線断面図。
【図４】図１の空気清浄機の操作パネルユニットを説明するための拡大斜視図。
【図５】図１の空気清浄機の制御系統を説明するためのブロック図。
【図６】（ａ）「まえ」スイングを説明するための模式図、（ｂ）「うしろ」スイングを説明するための模式図、（ｃ）「広角」スイングを説明するための模式図。
【図７】スイング設定用操作ボタンによる設定動作の一例を示すフローチャート。
【図８】（ａ）スイングオフ時のスイング範囲の表示内容の切り換えを示す模式図、（ｂ）「うしろ」スイングモード時のオンへの表示内容の切り換えを示す模式図、（ｃ）「まえ」スイングモード時のオンへの表示内容の切り換えを示す模式図、（ｄ）「広角」スイングモード時のオンへの表示内容の切り換えを示す模式図。
【図９】（ａ）スイングオン時のスイング範囲の表示内容の切り換えを示す模式図、（ｂ）「うしろ」スイングモード時のオフへの表示内容の切り換えを示す模式図、（ｃ）「まえ」スイングモード時のオンへの表示内容の切り換えを示す模式図、（ｄ）「広角」スイングモード時のオフへの表示内容の切り換えを示す模式図。
【発明を実施するための形態】
【００２９】
以下、図面を参照しながら、本発明の一実施形態に係る空気調和機として除湿機能と加湿機能とを備える空気清浄機を例に挙げて説明する。以下の説明において、上、下、左、右、正面（前）、背面（後）といった方向を示す語句を用いているが、これらの方向は、特にことわりのない限り、図１に示す方向を意味する。
【００３０】
（１）空気清浄機の外観
図１は、空気清浄機の正面に向かって右斜め上から見た斜視図である。つまり、この斜視図に記載されている空気清浄機１は、空気清浄機１を基準として、左正面上方から見られていることになる。図１に示されているように、空気清浄機１は、本体ケーシング１０と操作パネルユニット２０とを備えている。この空気清浄機１は、本体ケーシング１０の脚部１３を床面に置いて設置される床置きタイプである。
【００３１】
本体ケーシング１０には、吸込口１１と吹出口１２が設けられている。吸込口１１には、本体ケーシング１０の左側面に設けられている左側方吸込口１１ａと、本体ケーシング１０の右側面に設けられている右側方吸込口１１ｂとがある。
【００３２】
本体ケーシング１０は、上部の略中央で左右に延びる稜線１４を挟んで上部が正面側と背面側に向かって傾斜しており、上部正面側の傾斜面１０ｒに操作パネルユニット２０が設けられている。一方、本体ケーシング１０の上部背面側の傾斜部１０ｓに吹出口１２が設けられている。
【００３３】
空気清浄機１は、吸込口１１から吸込んだ室内空気を調和して吹出口１２から吹出す空気調和機である。この空気清浄機１には、例えば空気清浄モード、除湿モード及び加湿モードの運転モードが設定されており、操作パネルユニット２０の操作によって運転モードが切り換えられる。
【００３４】
（２）空気清浄機の内部構成
図２は、空気清浄機１の分解斜視図である。図３は、図１におけるＩ−Ｉ線断面図である。図２に示されているように、本体ケーシング１０は、前面パネル１０ａ、背面パネル１０ｂ及び底フレーム１０ｃを含んでいる。空気清浄機１は、これら前面パネル１０ａ、背面パネル１０ｂ及び底フレーム１０ｃに囲まれた空間内に、放電ユニット３１、ストリーマ放電ユニット３２、フィルタユニット４０、前フレーム５５、除湿フレーム５６、冷凍サイクルユニット６０、加湿ユニット７０、ファンユニット８０及び電装品ユニット９０を備えている。
【００３５】
２つの放電ユニット３１は、それぞれ左側方吸込口１１ａ及び右側方吸込口１１ｂに設けられている。これらの放電ユニット３１の内部においては、正極と負極電極間に発生する電位差によってコロナ放電を生じさせることができる。左側方吸込口１１ａ及び右側方吸込口１１ｂから取り込まれた空気は、放電ユニット３１を通過する。
【００３６】
前フレーム５５がフィルタユニット４０を前面パネル１０ａの背面側に収容しており、左側方吸込口１１ａ及び右側方吸込口１１ｂから取り込まれて放電ユニット３１を通過した空気は、フィルタユニット４０に導かれるように構成されている。図２に示されているフィルタユニット４０は、例えば、前から順に配置されるプレフィルタと集塵フィルタと脱臭フィルタとで構成される。このように構成されたときには、まず、プレフィルタによって大きな塵埃が取り除かれる。次に、集塵フィルタによって、放電ユニット３１により帯電した微細な塵埃が取り除かれる。集塵フィルタを通過した空気が最後に活性炭などを含む脱臭フィルタを通過し、脱臭フィルタを通過する際にホルムアルデヒドや臭い成分などが分解され、或いは吸着される。
【００３７】
前フレーム５５の後部には除湿フレーム５６が設けられており、前フレーム５５と除湿フレーム５６との間に冷凍サイクルユニット６０が配置されている。冷凍サイクルユニット６０は、圧縮機６１、凝縮器６２、減圧機構（図示せず）及び蒸発器６３を順に冷媒が循環するように接続された冷媒回路を備えている。冷凍サイクルユニット６０は、除湿運転時に冷媒回路において行われる冷凍サイクルによって、蒸発器６３を用いて空気を露点以下に冷やし、蒸発器６３で結露した水分を除去することで除湿が行えるように構成されている。また、冷凍サイクルユニット６０は、蒸発器６３で結露した水分を溜めるための除湿タンク６５も備えている。
【００３８】
除湿フレーム５６の背面側に後フレーム５７が設けられて除湿フレーム５６と後フレーム５７の間には加湿ユニット７０が収容され、フィルタユニット４０と冷凍サイクルユニット６０を通過した空気が加湿ユニット７０に導かれるように構成されている。図２に示されているように、加湿ユニット７０は、加湿ロータ７１、貯留ケース７２及び水タンク７３を備えている。加湿運転時には、加湿ロータ７１の気化フィルタから水が気化することで加湿が行われる。加湿ロータ７１の気化フィルタへの水の供給は、水タンク７３から供給される水がいったん貯留ケース７２に溜められ、貯留ケース７２から行われる。
【００３９】
除湿フレーム５６の背面側には後フレーム５７が設けられており、ファンユニット８０は、後フレーム５７と背面パネル１０ｂとの間に収容されている。ファンユニット８０は、吹出口１２から吹出させる気流を発生し、吸込口１１から吸い込まれてフィルタユニット４０、冷凍サイクルユニット６０及び加湿ユニット７０を順に通過する空気の流れをつくる。
【００４０】
ファンユニット８０は、主に、ファンロータ８１と、ファンロータ８１を収容するスクロールケーシング８３と、ファンロータ８１を回転させるファンモータ８５とフラップ８６とからなるシロッコファンである。ファンロータ８１は、回転軸の前方延長上にある後フレーム５７のファンベルマウス５７ａから空気を吸い込み、径方向つまり吹出口１２が配置されている上方に向かって空気を吹き出す。このファンユニット８０は、ファンモータ８５の回転速度を切り替えることで風量を切り換えられる。
【００４１】
スクロールケーシング８３の上部には、吹出口１２に面して開口部８０ａが形成されており、開口部８０ａがファンユニット８０の吹出口として機能する。このファンユニット８０の開口部８０ａの上方には、フラップ８６が配置されている。フラップ８６が閉じた状態では、吹出口１２がフラップ８６で覆われている。フラップ８６は、フラップ用モータＭ１５（図５参照）により駆動され開閉動作及びスイング動作を行う。
【００４２】
（３）操作パネルユニット
図２に示されているように、操作パネルユニット２０は、プリント配線基板２１と操作パネルカバー２２と操作表示蓋２３とを備えている。プリント配線基板２１、操作パネルカバー２２及び操作表示蓋２３は、順に上へと重ねられている。最上部にある操作表示蓋２３は操作パネルカバー２２を覆う部材である。操作パネルユニット２０の操作を行うときには、操作表示蓋２３を開けて、操作パネルカバー２２を露出させる。操作表示蓋２３には表示用窓２３ａがあって、操作パネルカバー２２の表示が表示用窓２３ａを通して見られるようになっている。
【００４３】
図４は、操作表示蓋２３と操作パネルカバー２２の外観を示す拡大斜視図である。図４には操作表示蓋２３が開いている状態が示されている。操作パネルカバー２２は、プリント配線基板２１を覆う部材であり、操作表示部２２ａ及び各種運転スイッチ２２ｂ等が設けられている。プリント配線基板２１には、各種運転スイッチ２２ｂ及び操作表示部２２ａ等に係わる信号処理を行うための電気部品が実装されている。例えば、操作表示部２２ａには、液晶表示装置を用いた表示が行われるため、プリント配線基板２１には液晶表示装置が実装されている。図４に示されている操作表示部２２ａの表示例は、現在の湿度が５５％であり、湿度が高めに設定され、スイングが停止され、風量が強風に設定されている状態を示している。
【００４４】
操作パネルカバー２２には、特に、フラップ８６のスイングに関する入力を行うために、専用のスイング設定用ボタン２２ｂａが１つだけ設けられている。そして、操作パネルカバー２２の上面に、「モード選択（長押し）」の表示がなされており、操作者にスイング設定用ボタン２２ｂａの押し方が説明されている。
【００４５】
（４）コントローラ
図５は、コントローラについて説明するためのブロック図である。コントローラ９１は、電装品ユニット９０に設けられている。コントローラ９１は、例えばＲＡＭ、ＲＯＭ及びＣＰＵなどを含むマイクロコンピュータで構成され、インターフェース９９を介して接続された空気清浄機１の各部の動作を制御する。
【００４６】
コントローラ９１には、インターフェース９９を介して、操作表示部２２ａ、運転スイッチ２２ｂ、スピーカ２４、フラップ用モータＭ１５、ファンモータ８５、圧縮機６１、加湿ユニット７０及び電源部１００などが接続されている。コントローラ９１は、運転スイッチ２２ｂを用いて入力されたユーザの指令に基づいて、これらの機器の制御を実行する。
【００４７】
このコントローラ９１は、記憶部９２、ファン制御部９３、圧縮機制御部９４、加湿制御部９５、放電制御部９６、表示制御部９７及びタイマ９８などを備えて構成されている。記憶部９２は、各運転モードに応じた制御プログラムを保持している。また、記憶部９２は、運転スイッチ２２ｂを用いて入力されたユーザの指令を保持する。ファン制御部９３、圧縮機制御部９４、加湿制御部９５、放電制御部９６及び表示制御部９７は、記憶部９２が保持するユーザの指令を読み取り、ユーザの指令に応じた制御プログラムを記憶部９２から取得する。そして、ファン制御部９３は、取得した制御プログラムに応じてファンモータ８５及びフラップ用モータＭ１５を制御する。圧縮機制御部９４は、取得した制御プログラムに応じて圧縮機６１を制御する。圧縮機制御部９４による圧縮機６１の制御は、主に、圧縮機６１に内蔵されている圧縮機モータ（図示せず）の回転数を制御することによって行われる。加湿制御部９５は、取得した制御プログラムに応じて加湿ユニット７０を制御する。加湿制御部９５による加湿ユニット７０の制御は、主に、加湿ユニット７０の加湿ロータ７１を回転させる加湿ユニットモータ（図示せず）の動作を制御することによって行われる。放電制御部９６は、電源部１００からの放電用電力の供給を制御する。電源部１００からは、放電ユニット３１及びストリーマ放電ユニット３２に放電用電力が供給される。この放電用電力の供給のオン・オフを制御することにより、放電ユニット３１及びストリーマ放電ユニット３２の放電が制御される。そして、コントローラ９１の表示制御部９７は、各制御において必要に応じて、操作表示部２２ａ及びスピーカ２４を使ってユーザに情報を伝達する。
【００４８】
（５）スイングモード
図６（ａ）、図６（ｂ）及び図６（ｃ）には、「まえ」スイング、「うしろ」スイング及び「広角」スイングの各スイングモードにおけるフラップ８６のスイング範囲が模式的に示されている。図６（ａ）に示されている「まえ」スイングのスイングモードでは、フラップ８６の配置位置から前方にあるスイング範囲Ａｒ１でフラップ８６がスイングする。図６（ｂ）に示されている「うしろ」スイングのスイングモードでは、フラップ８６の配置位置から後方にあるスイング範囲Ａｒ２でフラップ８６がスイングする。図６（ｃ）に示されている「広角」スイングのスイングモードでは、「まえ」スイングのスイング範囲Ａｒ１と「うしろ」スイングのスイング範囲Ａｒ２を含む広いスイング範囲Ａｒ３でフラップ８６がスイングする。
【００４９】
（６）スイング設定用ボタンによる入力
スイング設定用ボタンによる入力について図を用いて説明する。図７には、スイング設定用ボタンによるスイングのオン・オフの設定及びスイング範囲の設定に関する動作が説明されている。図８（ａ）から図９（ｄ）までには、操作表示部２２ａに表示される表示内容の切り換りが説明されている。
【００５０】
まず、図４に「スイング」と表示されているスイング設定用ボタン２２ｂａの押さえ方に関して、図５に示されているコントローラ９１がどのように識別しているかを図７のフローチャートで説明する。スイング設定用ボタン２２ｂａは、図５の運転スイッチ２２ｂに属するものである。コントローラ９１は、スイング設定用ボタン２２ｂａが押される時間によって「短押し」と「長押し」を識別して、スイングに関する設定の切換を行うように構成されている。
【００５１】
まず、図４に「スイング」と表示されているスイング設定用ボタン２２ｂａが押されると、図７のステップＳ１においては、図５に示されているコントローラ９１でスイング設定用ボタン２２ｂａが押されたと判断されて、ステップＳ２に進む。コントローラ９１は、タイマ９８をスタートさせ（ステップＳ２）、スイング設定用ボタン２２ｂａの操作が終了するまでに押し続けられた時間が２秒を超えたか否かを判断する（ステップＳ３）。
【００５２】
スイング設定用ボタン２２ｂａを押し続けられた時間が２秒までであれば、つまり設定用ボタンの操作が２秒を経過せずに終了すると「短押し」と判断される。ここでスイング設定用ボタン２２ｂａの操作の終了とは、要するにスイング設定用ボタン２２ｂａから操作者の指が離れたことを意味する。２秒以内にスイング設定用ボタン２２ｂａの操作が終了したときには、コントローラ９１が「短押し」の入力が１回あったものと判断して、ステップＳ５に進み、フラップ８６のスイングのオン・オフの設定を切り換える。コントローラ９１は、ファン制御部９３によって、「短押し」の入力前がオン状態であればオフに切り換え、入力前がオフ状態であればオンに切り換える。このオン・オフの設定の切り換えの情報については、ステップＳ６において、コントローラ９１が表示制御部９７によって操作表示部２２ａ及びスピーカ２４を用いてユーザに報知する。具体的には、切り換えのタイミングでスピーカ２４によってビープ音を発生させ、操作表示部２２ａに表示されているスイングのオン・オフの表示内容を変更する。
【００５３】
スイング設定用ボタン２２ｂａを押し続けられた時間が２秒を超えると、ステップＳ７に進み、コントローラ９１は「長押し」が１回入力されたものと判断する。コントローラ９１は、「長押し」が１回入力されたので、ファン制御部９３によってスイング範囲の設定を切り換える。そして、ステップＳ８においては、スイング範囲の表示内容が変更され、ビープ音の発生が行われる。このスイング範囲の設定の切り換えの情報については、ステップＳ８において、コントローラ９１が表示制御部９７によって操作表示部２２ａ及びスピーカ２４を用いてユーザに報知する。具体的には、スイング範囲の設定の切り換えのタイミングでスピーカ２４によってビープ音を発生させ、操作表示部２２ａに表示されているスイング範囲の表示内容を変更する。
【００５４】
ステップＳ８の時点では、さらにスイング設定用ボタン２２ｂａを押し続けられてスイング範囲の設定変更が行われる可能性があるため、ステップＳ９とステップＳ１０において前回の「長押し」から０．８秒を超えてスイング設定用ボタン２２ｂａが押し続けられたか否かを判断する。前回の「長押し」から０．８秒を超えずにスイング設定用ボタン２２ｂａからユーザの指が離れたときには、そのままスイング設定用ボタン２２ｂａによる設定を終了する。しかし、スイング設定用ボタン２２ｂａが押し続けられる限り、ステップＳ７からステップＳ９までのループが繰り返され、何度も繰り返し「長押し」の入力があったとコントローラ９１において判断される。
【００５５】
（７）スイングの設定の変更
図８（ａ）には、スイングがオフ状態におけるスイング範囲の変更の様子が示されている。スイングがオフ状態であるから、操作表示部２２ａには、「停止」の前の三角印が表示されている。図８（ａ）から図９（ｄ）において、太字は操作表示部２２ａで表示されている状態であることを示しており、細い斜体字は操作表示部２２ａでは表示されていない内容を示している。また、塗りつぶされた三角印は三角印が点灯してその設定が選択されている状態を示しており、白抜きの三角印は三角印が消えてその設定が選択されていない状態を示している。
【００５６】
図８（ａ）に示されている表示内容の変更は、スイングの設定がオフ状態のときに、図７のステップＳ７からステップＳ９を繰り返している場合に対応している。ステップＳ３からステップＳ７に進んで「長押し」が１回入力されたとコントローラ９１で認識される前が、スイングの設定がオフ状態で且つ「うしろ」スイングのスイングモードであったものとする。この状態でステップＳ７において「長押し」の入力が１回あったとコントローラ９１が認識すると、スイングの設定がオフ状態のまま「まえ」スイングのスイングモードに切り換えられる。そして、この状態に関する情報は操作表示部２２ａに表示されるとともに記憶部９２に記憶される。次に、ステップＳ９を経て再びステップＳ７に戻ると、スイングの設定がオフ状態のまま「広角」スイングのスイングモードに切り換えられる。そして、この状態に関する情報は操作表示部２２ａに表示されるとともに記憶部９２に記憶される。次に、ステップＳ９を経て三度ステップＳ７に戻ると、スイングの設定がオフ状態のまま「うしろ」スイングのスイングモードに切り換えられる。そして、この状態に関する情報は操作表示部２２ａに表示されるとともに記憶部９２に記憶される。
【００５７】
この空気清浄機１が持っているスイング範囲の設定のモードは３通りであるため、スイング範囲の設定のモードが４回切り換ると、オフ状態を保ったまま、上述のようにまた最初から順にスイング範囲の設定が切り換えられる。
【００５８】
図８（ｂ）に示されている表示内容の変更は、スイングの設定がオフ状態で且つ「うしろ」スイングのスイングモードのときに、図７のステップＳ６に進んだ場合に対応している。この状態でステップＳ５において「短押し」の入力が１回あったとコントローラ９１が認識すると、「うしろ」スイングのスイングモードのままスイングの設定がオン状態に切り換えられる。そして、この状態に関する情報は操作表示部２２ａに表示されるとともに記憶部９２に記憶される。また、コントローラ９１は、ファン制御部９３によってフラップ用モータＭ１５を制御し、「うしろ」スイングのスイングモードでフラップ８６のスイングを行う。
【００５９】
図８（ｃ）に示されている表示内容の変更は、スイングの設定がオフ状態で且つ「まえ」スイングのスイングモードのときに、図７のステップＳ６に進んだ場合に対応している。この状態でステップＳ５において「短押し」の入力が１回あったとコントローラ９１が認識すると、「まえ」スイングのスイングモードのままスイングの設定がオン状態に切り換えられ、ファン制御部９３によるフラップ用モータＭ１５の制御によって「まえ」スイングのスイングモードでフラップ８６がスイングする。図８（ｄ）に示されている表示内容の変更は、スイングの設定がオフ状態で且つ「広角」スイングのスイングモードのときに、図７のステップＳ６に進んだ場合に対応している。この状態でステップＳ５において「短押し」の入力が１回あったとコントローラ９１が認識すると、「広角」スイングのスイングモードのままスイングの設定がオン状態に切り換えられ、ファン制御部９３によるフラップ用モータＭ１５の制御によって「広角」スイングのスイングモードでフラップ８６がスイングする。
【００６０】
図９（ａ）には、スイングがオン状態におけるスイング範囲の変更の様子が示されている。スイングがオン状態であるから、操作表示部２２ａでは、設定されているスイングモードの前の三角印が点灯している。
【００６１】
図９（ａ）に示されている表示内容の変更は、スイングの設定がオン状態のときに、図７のステップＳ７からステップＳ９を繰り返している場合に対応している。ステップＳ３からステップＳ７に進んで「長押し」が１回入力されたとコントローラ９１で認識される前が、スイングの設定がオン状態で且つ「うしろ」スイングのスイングモードであったものとする。この状態でステップＳ７において「長押し」の入力が１回あったとコントローラ９１が認識すると、スイングの設定がオン状態のまま「まえ」スイングのスイングモードに切り換えられ、ファン制御部９３によるフラップ用モータＭ１５の制御によって「まえ」スイングのスイングモードでフラップ８６がスイングする。そして、この状態に関する情報は操作表示部２２ａに表示されるとともに記憶部９２に記憶される。次に、ステップＳ９を経て再びステップＳ７に戻ると、スイングの設定がオン状態のまま「広角」スイングのスイングモードに切り換えられ、ファン制御部９３によるフラップ用モータＭ１５の制御によって「広角」スイングのスイングモードでフラップ８６がスイングする。そして、この状態に関する情報は操作表示部２２ａに表示されるとともに記憶部９２に記憶される。次に、ステップＳ９を経て三度ステップＳ７に戻ると、スイングの設定がオン状態のまま「うしろ」スイングのスイングモードに切り換えられ、ファン制御部９３によるフラップ用モータＭ１５の制御によって「うしろ」スイングのスイングモードでフラップ８６がスイングする。そして、この状態に関する情報は操作表示部２２ａに表示されるとともに記憶部９２に記憶される。
【００６２】
この空気清浄機１が持っているスイング範囲の設定のモードは３通りであるため、スイング範囲の設定のモードが４回切り換ると、オン状態を保ったまま、上述のようにまた最初から順にスイング範囲の設定が切り換えられる。
【００６３】
図９（ｂ）に示されている表示内容の変更は、スイングの設定がオン状態で且つ「うしろ」スイングのスイングモードのときに、図７のステップＳ６に進んだ場合に対応している。この状態でステップＳ５において「短押し」の入力が１回あったとコントローラ９１が認識すると、「うしろ」スイングのスイングモードのままスイングの設定がオフ状態に切り換えられる。そして、この状態に関する情報は操作表示部２２ａに表示されるとともに記憶部９２に記憶される。また、コントローラ９１は、ファン制御部９３によってフラップ用モータＭ１５を制御し、ステップＳ５に入るタイミング、すなわちスイング設定用ボタン２２ｂａが離されたタイミングでフラップ８６を停止させる。
【００６４】
図９（ｃ）に示されている表示内容の変更は、スイングの設定がオン状態で且つ「まえ」スイングのスイングモードのときに、図７のステップＳ６に進んだ場合に対応している。この状態でステップＳ５において「短押し」の入力が１回あったとコントローラ９１が認識すると、「まえ」スイングのスイングモードのままスイングの設定がオフ状態に切り換えられる。そして、コントローラ９１は、ファン制御部９３によってフラップ用モータＭ１５を制御し、ステップＳ５に入るタイミング、すなわちスイング設定用ボタン２２ｂａが離されたタイミングでフラップ８６を停止させる。このような空気清浄機１の動作は図９（ｄ）の場合も同様である。図９（ｄ）に示されている表示内容の変更は、スイングの設定がオン状態で且つ「広角」スイングのスイングモードのときに、図７のステップＳ６に進んだ場合に対応している。この状態でステップＳ５において「短押し」の入力が１回あったとコントローラ９１が認識すると、「広角」スイングのスイングモードのままスイングの設定がオフ状態に切り換えられる。
【００６５】
（８）特徴
（８−１）
上述のように、ファンユニット８０（送風部の例）のフラップ８６についてのスイングのオン・オフの設定及びスイング範囲の設定の切り換えは、ともに操作パネルユニット２０のスイング設定用ボタン２２ｂａ（一つの操作ボタンの例）で行われる。つまり、スイング設定用ボタン２２ｂａの押さえ方が「短押し」であればオン・オフの設定が切り換えられ、スイング設定用ボタン２２ｂａの押さえ方が「長押し」であればスイング範囲の設定が切り換えられる。上記実施形態では、スイング範囲の設定として、「まえ」スイング、「うしろ」スイング及び「広角」スイングの３つのモードが用意されている。そのため、スイングのオン・オフの設定を行うボタンとは別に、スイング範囲の変更を行うボタンを設けなくて済む。そして、スイング設定用ボタン２２ｂａの押さえ方をかえるだけであるため、複雑なボタン操作が不要で、スイング範囲の設定において空気清浄機１（空気調和機の例）の良好な操作性を確保することができる。
【００６６】
上記実施形態では、スイング設定用ボタン２２ｂａの押さえ方として、「短押し」と「長押し」を例に挙げて説明しているが、例えばダブルクリックや３回以上のクリックなど所定時間内にボタンが押された回数によって複数の押さえ方が構成されてもよい。また、「短押し」と「長押し」を組み合わせて入力のバリエーションをつくることもでき、例えば、「長押し」でオン・オフの設定を行う状態からスイング範囲の設定を行う状態に切り換えその後の「短押し」でスイング範囲を切り換えるように構成することもできる。これらの場合、インターフェース９９を介してスイング設定用ボタン２２ｂａに接続されているコントローラ９１がスイング設定用ボタン２２ｂａの押させ方についての識別を行う。
【００６７】
上記実施形態のように、「短押し」と「長押し」でフラップのスイングのオン・オフの設定及びスイング範囲の変更を行うと、スイング設定用ボタン２２ｂａを押さえ続けている時間を変えるだけで、スイングのオンに続けてスイング範囲の設定の変更ができ、スイングのオン・オフとスイング範囲の設定の切り換えが容易である。
【００６８】
特に、送風部は、「短押し」でスイングのオン・オフの設定が切り換えられるとオン・オフの切り換え時間を短くできるので、オン・オフの設定切り換えのための待ち時間が短くなって使い勝手がよい。
【００６９】
（８−２）
ファンユニット８０は、コントローラ９１に制御されているフラップ用モータＭ１５によりフラップ８６のスイングのオン状態からスイングのオフ状態になったタイミングでフラップ８６を停止させる、ように構成されている。そのため、スイング動作中のフラップ８６が所望の停止位置に来たと判断してスイング設定用ボタン２２ｂａを「短押し」してからコントローラ９１のファン制御部９３がフラップ用モータＭ１５を停止させてフラップ８６を停止するまでのタイムラグを小さくすることができる。その結果、フラップ８６を所望の停止位置で停止させ易くなる。
【００７０】
（８−３）
ファンユニット８０は、一つのスイング設定用ボタン２２ｂａが押されている状態が１秒（第１設定時間の例）よりも長い２秒（第２設定時間の例）を超えてさらスイング設定用ボタン２２ｂａが押されている状態が続くと、図７のステップＳ３からステップＳ７に進む。そして、スイング設定用ボタン２２ｂａが押されている時間が０．８秒の倍数の時間を超える度に図７のステップＳ７からステップＳ９を経由するループが繰り返されて、「長押し」による設定変更がその倍数と同じ回数繰り返される。このような設定変更の繰り返しで、フラップ８６のスイング範囲の設定がその倍数と同じ回数だけ切り換えられる。例えば、３．７秒間続けてスイング設定用ボタン２２ｂａが押されている状態が続くと、２秒経過して１回スイング範囲の設定が切り換えられた後に、さらに１．７秒（０．８×２＋０．１）押され続けたことでさらに２回スイング範囲の切り換えが行われる。このようにスイング設定用ボタン２２ｂａを押さえ続けているという簡単な操作だけでスイング範囲の設定を何度も切り換えられ、スイング範囲の切換が容易になる。
【００７１】
（８−４）
上記の実施形態では、「まえ」スイング、「うしろ」スイング及び「広角」スイングの３つのスイングモードが設けられている。つまり、ファンユニット８０は、スイング設定用ボタン２２ｂａで切換可能なスイング範囲の設定が３通りである。そのため、「長押し」による切換回数が３回まではスイング範囲の設定を「まえ」スイング、「うしろ」スイング及び「広角」スイングの順に切り換え、「長押し」による切換回数が４回になったときには最初に戻って、「まえ」スイングその後さらにスイング範囲の設定を「うしろ」スイング及び「広角」スイングの順に切り換える、ように構成されている。その結果、誤操作によって所望のスイング範囲の設定、例えば「まえ」スイングを過ごしてしまっても、スイング設定用ボタン２２ｂａを押さえ続けているだけで、再度「まえ」スイングのスイングモードへの切り換えが可能になる。このように、スイング設定用ボタン２２ｂａを押さえ続けているだけで再度所望のスイング範囲の設定が可能になることからスイング範囲の切換が容易になる。
【００７２】
（８−５）
操作表示部２２ａ（表示部の例）は、フラップ８６のオン・オフの設定及びスイング範囲の切り換えに応じて、図７のステップＳ６，Ｓ８において、スイングのオン・オフの設定状態及びスイング範囲の設定状態の表示内容の変更を行う。上記実施形態では、スイングがオフ状態の時には、「停止」の表示がなされ、スイングがオン状態の時には「停止」の前の三角印が消えて、設定されているスイングモードの前に三角印が点灯する。また、操作表示部２２ａには、「まえ」スイング、「うしろ」スイング及び「広角」スイングのスイングモードのうちの設定されているスイングモードが表示されるとともにその前の三角印が点灯し、他は非表示となる。そのため、操作表示部２２ａの表示を使ってオン・オフの設定状態とスイング範囲の設定状態を視覚的に確認しながらスイング設定用ボタン２２ｂａの操作を行うことによってスイング設定用ボタン２２ｂａの誤操作を防ぐことができる。
【００７３】
（８−６）
スピーカ２４は、フラップ８６のオン・オフの設定及びスイング範囲の設定の切り換えのタイミング、つまり図７のステップＳ６，Ｓ８でビープ音（警告音の例）を発生させる。例えば設定が切り換わるタイミングで「ピッ、ピッ」という警告音が聞こえるため、オン・オフの設定状態とスイング範囲の設定状態の切り換えのタイミングを聴覚的に確認でき、スイング設定用ボタン２２ｂａの誤操作を防ぐことができる。
【００７４】
（９）変形例
（９−１）変形例１Ａ
上記実施形態では、空気調和機として空気清浄機１を例に挙げて説明しているが、空気調和機は送風機能を備えているものであればよい。従って、空気を循環させるサーキュレータや送風機なども空気調和機の概念に含まれる。
【００７５】
（９−２）変形例１Ｂ
上記実施形態では、フラップ８６が空気調和機の左右方向に延びていて前後方向の風向を制御するいわゆる水平フラップに分類されるものであったが、フラップが前後方向に延びていて左右方向の風向を制御するいわゆる垂直フラップに分類されるものであってもよく、フラップの風向の制御の向きはどのようなものであってもよい。
【符号の説明】
【００７６】
１  空気清浄機
２２ａ  操作表示部
２２ｂａ  スイング設定用ボタン
２４  スピーカ
８０  ファンユニット
８６  フラップ
９１  コントローラ
【先行技術文献】
【特許文献】
【００７７】
【特許文献１】特開平８−１００９４２号公報
【図１】
0005846162.tif 000002
【図２】
0005846162.tif 000003
【図３】
0005846162.tif 000004
【図４】
0005846162.tif 000005
【図５】
0005846162.tif 000006
【図６】
0005846162.tif 000007
【図７】
0005846162.tif 000008
【図８】
0005846162.tif 000009
【図９】
0005846162.tif 000010